(57)【要約】【課題】手持ち式工具装置において、手持ち式工具装置との完全に形状接続的な固定を実施する。【解決手段】緊締フランジ２および緊締フランジに固定可能な補助グリップ１を備えた手持ち式工具装置において、補助グリップ１の頭部４が、作業軸線Ａに対して配向された状態で固定可能であり、頭部４内を案内されたループ状の緊締ベルト５が設けられており、緊締ベルトが緊締手段を介して手動で緊締可能である。緊締ベルト５に、半径方向内向きに突出した少なくとも１つの凸部１１ａ，１１ｂが成形されており、凸部は、前記緊締フランジ２に対応配置された凹部１２ａ，１２ｂ内に形状接続的に係合可能である。【選択図】図１
2009131952.tif 000002
【特許請求の範囲】
【請求項１】
緊締フランジ（２）と、該緊締フランジに固定可能な補助グリップ（１）とを備え、該補助グリップ（１）の頭部（４）が、作業軸線（Ａ）に対して配向された状態で固定可能であり、前記頭部（４）内に、該頭部内を案内されたループ状の緊締ベルト（５）が設けられており、該緊締ベルトが、緊締手段を介して手動で緊締可能である手持ち式工具装置において、
前記緊締ベルト（５）に、半径方向内向きに突出した少なくとも１つの凸部（１１ａ，１１ｂ）が成形されており、該凸部が、前記緊締フランジ（２）に対応配置された凹部（１２ａ，１２ｂ）内に形状接続的に係合可能であることを特徴とする手持ち式工具装置。
【請求項２】
請求項１に記載の手持ち式工具装置において、
前記緊締ベルト（５）のループに沿ってずらして配置された複数の凸部（１１ａ，１１ｂ）が設けられている手持ち式工具装置。
【請求項３】
請求項２に記載の手持ち式工具装置において、
少なくとも２種の凸部（１１ａ，１１ｂ）が設けられている手持ち式工具装置。
【請求項４】
請求項１から３までのいずれか１項に記載の手持ち式工具装置において、
緊締ベルト（５）が金属からなっている手持ち式工具装置。
【請求項５】
請求項１から４までのいずれか１項に記載の手持ち式工具装置において、
緊締手段が、緊締ねじ（７）を介して緊締ベルト（５）を緊締する回動可能なグリップ部（６）である手持ち式工具装置。
【請求項６】
請求項１から５までのいずれか１項に記載の手持ち式工具装置において、
前記緊締ベルト（５）が、両端（１０）にそれぞれ１つの連行開口（９）を有しており、該連行開口が、緊締ねじ（７）のヘッド（８）を形状接続的に取り囲んでいる手持ち式工具装置。
【請求項７】
請求項１から６までのいずれか１項に記載の手持ち式工具装置において、
前記緊締ベルト（５）が、前記両端（１０）に、半径方向外向きに突出したそれぞれ１つの案内突起（１３）を有している手持ち式工具装置。
【請求項８】
請求項７に記載の手持ち式工具装置において、
前記頭部（４）が、２つの案内面（１４）を形成しており、該案内面で、前記緊締ベルト（５）の端部（１０）が案内可能である手持ち式工具装置。
【発明の詳細な説明】
【技術分野】
【０００１】
本発明は、緊締ベルトを備える補助グリップを有する手持ち式工具装置、特に穿孔ハンマに関する。
【背景技術】
【０００２】
通例では、補助グリップは、クランプまたは緊締具または緊締ベルトによって、手持ち式工具装置の円筒周面状の緊締フランジに付着摩擦接続的に固定される。この補助グリップには、固有剛性を有し、変位可能であり、固定可能なロッドの形の深さゲージもさらに配置されていることが多い。
【０００３】
欧州特許第０１３２５９３号明細書により、グリップ部を回動することにより、緊締ねじによって緊締可能なループ状の緊締ベルトを介して手持ち式工具装置の緊締フランジに固定することができる補助グリップが公知である。この補助グリップは、緊締フランジに形状接続的に適合する頭部を有しており、この頭部は、目的に応じて固定する場合に手持ち式工具装置の回転軸線に対して配向されている。さらに頭部には、深さゲージが、形状接続的に軸線方向に変位可能であり、固定可能に案内されている。緊締ベルトは、ループによって、頭部に設けられたＶ字形の案内面で直接に案内される。これにより、ループをさらに開いた場合には、緊締ねじの頭部で形状接続的に案内された、緊締ベルトの端部の連行開口が鉤から外れる。
【０００４】
さらに、ドイツ連邦共和国特許第１０２００５０５７２６９号明細書によれば、緊締具を備えた補助グリップが公知である。この緊締具は、部分的に周方向に延びる案内ウェブを有している。この案内ウェブは、手持ち式工具装置に対応配置された円筒周面状の緊締フランジにおいて、周方向に延びる案内溝内に、軸線方向に形状接続的に係合する。さらに、緊締具は、端面で開かれた切欠きを有しており、この切欠き内には、周方向に分配して配置された嵌合突起に、接線方向に形状接続的に係合する。その結果、緊締された補助グリップは、付着摩擦接続的な緊締に加えて形状接続的にも完全に固定されている。
【特許文献１】欧州特許第０１３２５９３号明細書
【特許文献２】ドイツ連邦共和国特許第１０２００５０５７２６９号明細書
【発明の開示】
【発明が解決しようとする課題】
【０００５】
本発明の課題は、扱いの粗い建設現場で使用するために適するように、補助グリップを手持ち式工具装置に完全に形状接続的に固定することである。
【課題を解決するための手段】
【０００６】
この課題は、実質的に請求項１に記載の特徴により解決される。有利な改良形態は、従属請求項に記載されている。
【発明の効果】
【０００７】
すなわち、緊締フランジを備える本発明の手持ち式工具装置は、緊締フランジに固定可能な補助グリップを有しており、この補助グリップの頭部は作業軸線に対して配向して固定可能であり、頭部内には、頭部内を案内されたループ状の緊締ベルトが設けられている。この緊締ベルトは、緊締手段により手動で緊締可能であり、緊締ベルトには少なくとも１つの半径方向内向きに突出した凸部が成形されており、この凸部は、緊締フランジに対応配置された凹部内に形状接続的に係合可能である。
【０００８】
半径方向内向きに突出した凸部により、付着摩擦接続的な緊締に加えて、形状接続的な固定も緊締フランジにおいて行われる。
【０００９】
有利には、緊締ベルトのループに沿ってずらして配置された複数の凸部が設けられており、これにより、形状接続的な固定部がより大きい力を吸収することができる。
【００１０】
有利には、少なくとも２つの異なる種類の凸部が設けられており、さらに有利には、ループに対して横方向に長い横方向凸部、ループに対して縦方向に長い縦方向凸部、または円形の球キャップ状凸部が設けられており、これにより、緊締ベルトの曲げ剛性をループに沿って高めることなしに（緊締フランジに関して）軸線方向の形状接続も接線方向の形状接続も得られる。
【００１１】
有利には、緊締ベルトは、金属、さらに有利にはばね鋼からなっており、これにより、弾性率が高い場合に高い緊締力を加えることができる。さらに金属にエンボス加工された凸部は、高い耐摩耗性を有し、ひいては持続的に形状が保持される。
【００１２】
有利には、緊締手段は、緊締ねじを介して緊締ベルトを緊締する回動可能なグリップ部であり、これにより、緊締は回動により直感的に簡単に行われる。
【００１３】
有利には、緊締ベルトは両端にそれぞれ１つの連行開口を有しており、連行開口は、緊締ねじの頭部を形状接続的に取り囲み、これにより、緊締ベルトはねじによって緊締可能である。
【００１４】
有利には、緊締ベルトは両端に、半径方向外向きに突出したそれぞれ１つの案内突起を有しており、これにより、緊締解除時には緊締ベルトの端部の開口幅が、案内面によって直接に定められている。特に、開放時に連行開口が緊締ねじの頭部から外れることを阻止することができる。
【発明を実施するための最良の形態】
【００１５】
本発明を有利な実施例に関して詳細に説明する。
【００１６】
図１および図２によれば、穿孔ハンマの形の手持ち式工具装置３（示唆のみしている）の緊締フランジ２に、作業軸線Ａに対して配向して固定されている補助グリップ１が、緊締フランジ２に形状接続的に嵌合する頭部４を有しており、この頭部４には、頭部４内を案内される、ばね鋼からなるループ状の緊締ベルト５が設けられている。緊締ベルト５は、グリップ部６を手動で回動することにより緊締され、この場合に緊締ねじ７のヘッド８が緊締ベルト５の両端部１０に設けられた連行開口９内に係合する。緊締ベルト５には、グリップ部６に向かい合ったループに、半径方向内向きに突出した複数の凸部１１ａ，１１ｂが長さ方向にずらして成形されており、これらの凸部は、手持ち式工具装置３の緊締フランジ２に対応配置された凹部１２ａ，１２ｂに形状接続的に係合する。緊締ベルト５は、両端１０に半径方向外向きに突出したそれぞれ１つの案内突起１３を有しており、これらの案内突起は、緊張／弛緩時に、頭部４に設けられた実質的に互いに平行な案内面１４で案内される。
【００１７】
図３および図４によれば、緊締ベルト５を半径方向に固定するために不可欠な凸部１１ａが、手持ち式工具装置３の緊締フランジ２に設けられた縦溝の形の凹部１２ａに係合可能である。軸線方向に固定するために不可欠な凸部１１ａが、円形の球状キャップ凸部の形状を有しており、この凸部１１ａは、緊締フランジ２に設けられた周方向に延びる丸溝の形の凹部１２ｂに係合する。
【図面の簡単な説明】
【００１８】
【図１】補助グリップを有する手持ち式工具装置を示す図である。
【図２】図１の平面ＩＩ−ＩＩに沿った横断面図である。
【図３】緊締フランジを示す図である。
【図４】緊締ベルトのループの斜視断面図である。
【符号の説明】
【００１９】
１  補助グリップ
２  緊締フランジ
３  手持ち式工具装置
４  頭部
５  緊締ベルト
６  グリップ部
７  緊締ねじ
８  ヘッド
９  連行開口部
１０  端部
１１ａ，１１ｂ  凸部
１２ａ，１２ｂ  凹部
１３  案内突起
１４  案内面
【図１】
2009131952.tif 000003
【図２】
2009131952.tif 000004
【図３】
2009131952.tif 000005
【図４】
2009131952.tif 000006